(57)【要約】【課題】ＬＥＤ光源と反射鏡を組み合わせた照明器具において、簡易かつ汎用性の高い方法でＬＥＤ光源の色不均一を解消し色ムラ無く前方を照射し、また、簡素で壊れにくく、できるだけ明るくかつ光源の放熱や湿気の多い環境での使用も考慮した携帯電灯を提供する。【解決手段】電池と発光部とをケース内に有し、発光部は、光源を基板上に実装し、光源には光源の光放射範囲の一部または全域を覆う透光性カバーを配し、透光性カバーを通過した光が前方方向やあるいは反射鏡の受光面を照射するように構成し、透光性カバーはその材質または表面処理による光拡散手段を有し、光源と透光性カバーの間は空間を持ち、透光性カバーに覆われた空間を任意の１箇所または複数箇所で開放した構成とする。【選択図】図４
2020123449.tif 000002
【特許請求の範囲】
【請求項１】
電池と発光部とをケース内に有し、
前記発光部は、光源を基板上に実装し、前記光源には光源の光放射範囲の一部または全域を覆う透光性カバーと、前記透光性カバーの周囲に反射鏡を配し、前記透光性カバーを通過した光が前方方向やあるいは反射鏡の受光面を照射するように構成し、
前記透光性カバーはその材質または表面処理による光拡散手段を有し、
前記光源と前記透光性カバーの間は空間を持ち、前記透光性カバーに覆われた空間を任意の１箇所または複数箇所で開放したことを特徴とする携帯電灯。
【請求項２】
前記発光部は、前記反射鏡の焦点を前記光源に合わせ、さらに前記光源を概ね中心とした中空半球状の前記透光性カバーを前記基板上に伏せて配し、前記光源と前記透光性カバーの間が空間となるように構成したことを特徴とする請求項１に記載の携帯電灯。
【請求項３】
前記発光部は、前記反射鏡および前記透光性カバーは前記基板とは接触しない、または前記反射鏡あるいは前記透光性カバーの一部突出片のみが前記基板に接するよう構成したことを特徴とする請求項１または請求項２に記載の携帯電灯。
【請求項４】
前記発光部は、前記基板上の前記光源の周囲面のうち少なくとも前記透光性カバーで覆われた範囲は、光反射可能な面であることを特徴とする請求項１〜３のいずれか１項に記載の携帯電灯。
【発明の詳細な説明】
【技術分野】
【０００１】
本発明は、電池を電源とし、夜間もしくは暗所にて使用される携帯電灯に関するものである。
【背景技術】
【０００２】
自然災害や大地震などの災害リスクに伴い、安価で気軽に買い求めやすい携帯電灯の需要が高まっている。
【０００３】
近年、携帯電灯などの照明器具に使用する光源としてはＬＥＤ（発光ダイオード）が主流となっており、前方に向けて投光するためＬＥＤに反射鏡や光学的なレンズなどの集光手段を組み合わせるのが一般的である。中でも比較的簡易に製造でき安価でありながら高い前方照度を得られる集光手段として、ＬＥＤを基板上に実装し、略お椀形の反射鏡を光源に近づけて発光部としたものが実用化されている（例えば、特許文献１）。
【０００４】
光源に用いられるＬＥＤとしては、現在、青色発光する半導体チップの上に黄色系蛍光体を被せて白色の光に変換する方式が主流である。青色半導体チップからの放射方向に関わらず蛍光体の濃度を一定にするのは難しく、そのためＬＥＤの発光点を細かく捉えると、発光点の中央からは白い光が、発光点の中央を外れた部分からは黄味がかった光が放射される現象が生じる。前述のような反射鏡とＬＥＤを組み合わせた発光部では、光源の発光点に生じた放射色の不均一さ（以下、単に放射色不均一と称す）に起因し前方の照射に色ムラが現れやすく、照射対象物をきれい照らすことができないため快適性、安全性を損なう。
【０００５】
ＬＥＤはメーカーや構造によって形状は様々であり、それぞれのＬＥＤに対して色の放射特性は異なる。また、携帯電灯などの照明器具は概して小ロット生産であるため、製品要求に合わせて発光部の仕様を変更すべく大きな投資を行うのは現実的ではない。
【０００６】
また、災害などもしもの場合に備え携帯電灯全体の構成を考えると、できるだけ明るいことや簡素で壊れにくい構造が求められる。器具の明るさを確保するため光源に多くの電流を供給し高光束化していくと、光源の過熱によって器具本体の光源周辺の樹脂材料などを痛めかねないため、光源の放熱に配慮しなければならない。
【０００７】
さらに、災害時の雨中での使用を想定すると、万一器具内に湿気がこもった状態でも器具の作動に支障をきたさないことなど、これらの課題にも対応した携帯電灯の発売が望まれている。
【先行技術文献】
【特許文献】
【０００８】
【特許文献１】特許第４３８９７９５号公報
【発明の概要】
【発明が解決しようとする課題】
【０００９】
特許文献１のように、光源と略お椀形の反射鏡を組み合わせた安価な構成の携帯電灯において、簡易でしかも光源の形状によらず汎用性の高い方法で光源の放射色不均一を解消し色ムラ無く前方を照射することを可能とし、また、簡素で壊れにくく、できるだけ明るくかつ光源の放熱や湿気の多い環境での使用も考慮した、快適で安全に使用できる携帯電灯を提供することを目的とする。
【課題を解決するための手段】
【００１０】
前述のような課題を解決するために本発明では、電池と発光部とをケース内に有し、前記発光部は、光源を基板上に実装し、前記光源には光源の光放射範囲の一部または全域を覆う透光性カバーと、前記透光性カバーの周囲に反射鏡を配し、前記透光性カバーを通過した光が前方方向やあるいは反射鏡の受光面を照射するように構成する。そして、前記透光性カバーはその材質または表面処理による光拡散手段を有し、前記光源と前記透光性カバーの間は空間を持ち、前記透光性カバーに覆われた空間を任意の１箇所または複数個所で開放した構成とする。
【発明の効果】
【００１１】
本発明によれば、基板上に実装した光源と反射鏡を組み合わせた一般的な携帯電灯の構成において、光源から放射された光を透光性カバーで分散しそれを反射鏡の受光面などに向けて放射するため、光源の照射色不均一を解消し反射鏡を介して前方に色ムラの無い照射を得ることができる。光源と透光性カバーの間を空間とし光源自体には手を加えることがないため、光源自体の光取り出し効率や信頼性を損ねることがないし、光源の種類や形状によらず汎用性が高い。
【００１２】
透光性カバーに覆われた空間を任意の１箇所または複数箇所で開け放っている、すなわち開放している構成であるため、光源から熱が発生し透光性カバーに覆われた空間が熱せられても、空間の空気が随時入れ替わることで熱を透光性カバーの外部に逃がし携帯電灯の高光束化の要望に応えられる。雨中での器具使用で万一ケース内に湿気がこもった場合でも、透光性カバーに覆われた空間の空気が随時入れ替わることで透光性カバー内での湿気の滞留をなくし、結露による点灯異常や光源の電気接点の錆びを防止するので器具の作動に支障をきたさない。加えて、光源より透光性カバーに入射させずに、透光性カバーに覆われた空間を開放した部分から器具前方に向かわせることにより透光性カバーによる減衰を極力少なくすることができ器具の全光束を高く保つ効果がある。
【００１３】
さらに望ましくは、前記発光部において、反射鏡の焦点を光源に合わせ、さらに光源を概ね中心とした中空半球状の透光性カバーを基板上に伏せて配し、光源と透光性カバーの間が空間となるように構成すると、半球状の透光性カバーは、反射鏡の焦点から発する光源本来の放射方向を損なわず集光度を保ちやすいので前方の照度が高く保てる。
【００１４】
また、前記発光部において、反射鏡および透光性カバーは基板とは接触しない、または、反射鏡あるいは透光性カバーの一部突出片のみが基板に接するよう構成すると、透光性カバーに覆われた空間を大きく開放できるので通気がしやすくなるとともに、基板上の光源周辺面で点灯中に高温となる部分と反射鏡や透光性カバーの接触を避け、反射鏡や透光性カバーの材料を痛めることがない。
【００１５】
さらに望ましくは、前記発光部において、基板上の光源の周囲面のうち少なくとも透光性カバーで覆われた範囲は光反射可能な面とすると、透光性カバーに向けて光源より放射されるも透光性カバー界面で反射し光源方向に戻ってきた光を再び器具前方に向かわせることができる。あるいは、ＬＥＤの側方に漏れて透光性カバーに向けて入射できなかった光を基板の反射面を介して、透光性カバーに覆われた空間を開放した部分より器具前方に無駄なく出て行くことで器具の全光束を高めることができる。
【図面の簡単な説明】
【００１６】
【図１】本発明の実施の形態１における携帯電灯の発光部方向から見た正面図
【図２】同実施の形態１における携帯電灯のスイッチ操作面から見た上面図
【図３】同実施の形態１における携帯電灯の側面図
【図４】図２に示すＡ−Ａの方向に見た断面図
【図５】図３に示すＢ−Ｂの方向に見た断面図
【図６】図４に示すＣ−Ｃの方向に見た断面図
【図７】図４に示すＤ−Ｄの方向に見た断面図
【図８】外観正面のレンズを外した状態にて図４に示す矢視Ｅ方向から見た図
【図９】レンズと反射鏡を外した状態にて図４に示す矢視Ｆ方向から見た図
【図１０】図４のうち発光部の断面のみを拡大するとともに、この発光部による前方照射形を簡易的に表示した図
【図１１】図１０から半球カバーを外した状態での発光部の断面のみの拡大図と、この発光部による前方照射形を簡易的に表示した図
【図１２】本発明の実施の形態２における半球カバーの別形態で、部分的に梨地加工を半球カバーに施した状態を示す発光部のみの断面の拡大図
【図１３】同実施の形態２における半球カバーの別形態で、半球カバーの天部を部分的に開放した状態を示す発光部のみの断面の拡大図
【図１４】図１３において、透光性カバー界面で反射した光や、ＬＥＤの側方に漏れて透光性カバーに入射できなかった光の行き先を矢印で示した図と、同発光部を器具正面方向から見た姿を追加記載した図。
【図１５】本発明の実施の形態３における基板と半球カバーの別形態を示した図と、理解を助けるため基板を光源の背面方向から見た姿を追加記載した図。
【図１６】本発明の実施の形態４における基板と半球カバーの別形態を示したもので、発光部および周辺の断面を拡大した図
【図１７】本発明の実施の形態５における透光性カバーの別形態を示したもので、発光部のみの断面の拡大図
【発明を実施するための形態】
【００１７】
以下、本発明の実施の形態を、図面を参照して説明する。
【００１８】
（実施の形態１）
図１は本発明の実施の形態１における携帯電灯の発光部方向から見た正面図、図２は同実施の形態１における携帯電灯のスイッチ操作面から見た上面図、図３は同実施の形態１における携帯電灯の側面図である。
【００１９】
また、図４は図２に示すＡ−Ａの方向に見た断面図、図５は図３に示すＢ−Ｂの方向に見た断面図、図６は図４に示すＣ−Ｃの方向に見た断面図で、図７は図４に示すＤ−Ｄの方向に見た断面図である。
【００２０】
さらに図８は、外観正面のレンズを外した状態にて図４に示す矢視Ｅ方向から見た図である。図９は、レンズと反射鏡を外した状態にて図４に示す矢視Ｆ方向から見た図である。
【００２１】
本発明の実施の形態１の携帯電灯は、図１〜図３に示すように、前ケース１と電池ケース２、レンズ３とスイッチツマミ４で外観が構成されている。
【００２２】
図４、図５、図７で示すように、電池ケース２の中には、電池５および電池５と導通をとるための電池ばね６、センターばね７が配置されている。
【００２３】
さらに図４、図５、図６、図９で示すように、前ケース１の中には、中ケース１０が固定配置されていて、光源であるＬＥＤ８が基板９に実装された状態で中ケース１０に搭載されることで前ケース１内の定位置に収まっている。中ケース１０には電池５と導通をとるためのプラスリード１１と中継リード１２、さらにスイッチリード１３とコンタクトリ
ード１４が固定されている。
【００２４】
基板９には、点灯回路の正極端であるプラスリード１１と負極端であるコンタクトリード１４が半田付けされていて、プラスリード１１は電池５のうち１本の正極に通じ、電池ばね６、中継リード１２を通じて、３本の電池を直列につないだ後、センターばね７がスイッチリード１３に通じ、スイッチリード１３がコンタクトリード１４に通じる回路となっている。スイッチツマミ４を前方にスライドさせると、スイッチツマミ４がスイッチリード１３を押し下げコンタクトリード１４と接触し回路が閉じるのでＬＥＤ８が点灯する仕組みである。
【００２５】
本発明の実施の形態１の発光部は、図４で示すように光源であるＬＥＤ８の前方に略お椀形の反射鏡１５の底部を基板９に近づけることでＬＥＤ８と前記反射鏡１５の焦点を合わせ、さらにＬＥＤ８に対して光放射範囲の一部または全域を覆う透光性カバーの一形態である半球カバー１６が光源を中心とした中空半球状にて基板９に伏せて配置され、半球カバー１６を通過した光が反射鏡１５の受光面１５ａに照射されるよう構成している。
【００２６】
では、半球カバー１６の形態について詳細を説明する。図１０は、図４のうち発光部の断面のみを拡大するとともに、この発光部による前方照射形を簡易的に表示した図である。まず、半球カバー１６の形状を説明する。
【００２７】
図１０および図８、図９で示すように半球カバー１６は、その中空形状によってＬＥＤ８との間に空間を有していて、半球カバー１６は基板９と対峙する第２の対峙面１６ｂに、放射状に細い４本の接地足１６ａを有していて、接地足１６ａのみが基板９と接している。これにより半球カバー１６における基板９と対峙する第２の対峙面１６ｂは、基板９とは接地足１６ａの厚み分の隙間を隔てている。さらに、反射鏡１５における基板９と対峙する面である第１の対峙面１５ｂは前述の接地足１６ａの上に乗っているため、反射鏡１５と基板９も同様の隙間を保っている。ここで、通気経路１７としては、反射鏡１５と基板９の隙間を通る経路と、反射鏡１５と半球カバー１６の隙間を通る経路の２つを有し、これにより透光性カバーに覆われた空間を開放したことと同意である。
【００２８】
ＬＥＤ８が発熱しても、通気経路１７より通気し放熱することができる。また、ＬＥＤ８の点灯により一旦熱せられたＬＥＤ周辺が冷えたとき、半球カバー１６内に湿気が滞留していると半球カバー内面や、ＬＥＤ８、基板９面に結露が生じる可能性があるが、通気経路１７より外部と通じているので湿気を滞留させず結露やＬＥＤ８の端子錆びの心配がない。ＬＥＤ８の発熱に伴いＬＥＤ８に給電する基板９上の銅箔パターンが過熱した場合も、接地足１６ａを避けて銅箔パターンを引き回せば反射鏡１５や半球カバー１６の材料に過熱の影響を及ぼさない。
【００２９】
このように、反射鏡および透光性カバーは基板とは接触しない、または反射鏡あるいは透光性カバーの一部突出片のみが基板に接する構成とすると、通気がしやすくなるとともに、基板上の光源周辺面で点灯中に高温となる部分と反射鏡や透光性カバーの接触を避け、反射鏡や透光性カバーの材料を痛めることがない。
【００３０】
本発明の実施の形態１では、ＬＥＤ８のチップサイズは縦３ｍｍ、横３ｍｍ、厚み０．６ｍｍのものを使用しており、その際の基板９と、反射鏡１５および半球カバー１６の隙間は約１ｍｍとしている。基板９表面の発熱部が対峙する部品に影響を及ぼさないこと、通気性を考慮して少なくとも１ｍｍ程度の隙間を設けるのが望ましい。
【００３１】
では、半球カバー１６の光拡散作用について説明していく。まず、図１１を参照してＬＥＤ８の放射色不均一について原因の考察を述べる。図１１は、図１０から半球カバーを
外した状態での発光部の断面のみの拡大図と、この発光部による前方照射形を簡易的に表示した図である。
【００３２】
図１１に示すＬＥＤ８は、バスタブ型の枠８ａの中央に青色光を発する半導体チップ８ｂがあり、その上に黄色系の蛍光体８ｃを塗布した構成である。光の放射方向によって蛍光体８ｃの厚みに違いがあるため、ＬＥＤ８の発光点を細かく捉えると発光点の中央からは白い光８ｗが、発光点の中央よりわずかに外れた部分からは黄味がかった光８ｙが放射される現象が生じる。例えば、本発明の実施の形態１では反射鏡１５の焦点１５ｆをＬＥＤ８の中央に合わせて、ＬＥＤ８の中央からの白い光８ｗを略平行光線に変換し前方を白い光で照射しようとしている。しかし、焦点からわずかに外れた位置から放射される黄味がかった光８ｙは、受光面１５ａを介して完全な平行光線にはならず、前方照射において中央を外れた部分に集まりやすく、図１１に表示した前方照射形のように黄色い輪を形成する。これが前方照射への色ムラの出かたの一例である。以上に述べたような平型のＬＥＤに限らず、ＬＥＤ光源の形状や製造方法によって放射色不均一の出かたは様々である。
【００３３】
それに対し、本発明では光拡散手段を有した透光性カバーを利用した。図１０に示すように半球カバー１６は、透明の樹脂で成形され、表面には光拡散手段として梨地（シボ）加工されている第１の梨地加工１６ｃが施されている。半球カバー１６によって拡散させると、放射光は反射鏡１５の受光面１５ａを介して拡散された光となる。図１０に表示した前方照射形のように、図１１よりは全体に大きな照射形となるが照射域では色が平均化されて照射される。
【００３４】
透光性カバーとしては、集光度の確保の観点では本発明の実施の形態１のように光源を中心とした半球形状が最適である。光源からの放射方向に垂直で一様なカバーであるから、拡散手段によって光線が拡散されても概ね基本の放射方向は変わらず、色が分散されながら集光度を損ないにくいため前方に高照度の投光が可能である。
【００３５】
前方照射色の改善度合いは透光性カバーの光拡散の強さで調整できる。どの程度の拡散が必要かは使用する光源によって変わるため、例えば透光性カバーの表面の梨地加工の粗さなどで調整すればよい。
【００３６】
なお、透光性カバーによる光分散を強めると前方の中心照度は低くなるが、同時に照射範囲は広くなる。言い換えれば広範囲に照らす携帯電灯となるため、目的に応じ照射を調整する手段と考えて利用すれば便利である。
【００３７】
他の拡散手段としては、樹脂材料自体に拡散材を練りこんで透光性カバーを成形する方法でもよい。拡散材を練りこんだ場合、前述の梨地加工よりは拡散が強くなる傾向で広範囲に照射するタイプの携帯電灯として利用できる。
【００３８】
（実施の形態２）
以下、本発明の実施の形態２について、図１２と図１３を参照して説明する。図１２と図１３は、本発明の実施の形態２における半球カバーの別形態を示したもので、図１０と同じく発光部の断面のみの拡大図である。
【００３９】
ここでは、発明の効果の中で述べた、光源より透光性カバーに入射させずに、透光性カバーに覆われた空間を開放した部分から器具前方に向かわせることにより透光性カバーによる減衰を極力少なくすることができる効果についてさらに詳しく説明する。
【００４０】
本発明の実施の形態１では、図１０に示したように半球カバー１６の表面には第１の梨地加工１６ｃが半球カバー１６の全体に施されているが、これは必ずしも表面全体に必要
ではない。図１２と図１３のように、ＬＥＤ８からの光放射の方向によっては反射鏡１５の受光面１５ａに当たらない光８ｏがあり、それら光線は器具前方においては広く散光してしまうため、前方での照射形や色には大きな影響を与えない。そのため、図１２のように反射鏡１５の受光面１５ａに当たる放射方向のみに第１の梨地加工１６ｃを施してもよい。
【００４１】
または、図１３のように反射鏡１５の受光面１５ａに当たらない照射方向を開放して半球カバー１６に第１の天穴１６ｄを明けてもよい。この場合、第１の天穴１６ｄの開放により新たに通気経路１７が追加されるため半球カバー１６内の空間の通気はさらに良くなる。
【００４２】
本発明の実施の形態１のように半球カバー１６の表面全体に第１の梨地加工１６ｃを施した場合、点光源が半球全体の面光源へと拡大されるため光源方向を外部から目視した際の輝度が下がり目に眩しくない効果がある。一方、本発明の実施の形態２のように半球カバー１６の一部を梨地無しや開放の状態とすると全光線透過率が上がり器具としての全光束が落ちにくいという利点があるため、器具の要求仕様により使い分けるのが良い。
【００４３】
図１４は、図１３において、透光性カバー界面で反射した光や、ＬＥＤの側方に漏れて透光性カバーに入射できなかった光の行き先を矢印で示した図と、同発光部を器具正面方向から見た姿を追加記載した図である。図１４で示すように、半球カバー１６は前述のとおり第１の天穴１６ｄを１箇所と、第１の側方穴１６ｅを４箇所有している。
【００４４】
光源方向に戻ってきた光８ｐあるいはＬＥＤ８の側方に漏れて透光性カバーに向けて入射できなかった光８ｑは基板９の表面にて再反射し、半球カバー１６の第１の天穴１６ｄあるいは第１の側方穴１６ｅから器具前方に出て行くことができる。第１の天穴１６ｄあるいは第１の側方穴１６ｅは開放穴であるために通過の際に光束を減衰することがない。
【００４５】
このように、第１の天穴１６ｄあるいは第１の側方穴１６ｅ、つまり透光性カバーに覆われた空間を開放した部分から、光源より透光性カバーに入射させずに器具前方に向かわせて器具の全光束を高く保つ効果がある。
【００４６】
本発明の実施の形態２のように第１の側方穴１６ｅを有する場合、第１の側方穴１６ｅの幅は、光源の側方に漏れる光が器具前方に出て行きやすいように、また反射鏡１５の受光面１５ａ方向の空間への通気の面でも、少なくとも反射鏡１５と基板９の隙間と同等かそれよりも大きくするのが望ましい。本発明の実施の形態２ではＬＥＤ８のチップサイズは縦３ｍｍ、横３ｍｍ、厚み０．６ｍｍのものを使用しており、その際の反射鏡と基板のすきまを１ｍｍとしていて、第１の側方穴１６ｅの幅は１．８ｍｍ程度とした。
【００４７】
ここで基板上の光源の周囲面のうち少なくとも透光性カバーで覆われた範囲は、光反射可能な面とするとより効果的である。図１４では、基板９の光源周囲面は白色のシルク印刷で反射面９ｂを配した。反射材としては、銀地のシールを用いるなど他の手段でも構わないが、白色のシルク印刷であれば基板の製造工程上に普通に含まれているので追加コストがかからないし器具外観正面から見ても見栄えが良い。基板面に反射材を配すと、基板の反射面を介する際に光束減衰が少なく透光性カバーに覆われた空間を開放した部分より器具前方に無駄なく出て行くことで器具の全光束を高めることができる。
【００４８】
（実施の形態３）
以下、本発明の実施の形態３について、図１５を参照して説明する。図１５は、本発明の実施の形態３における基板と半球カバーの別形態を示した図と、理解を助けるため基板を光源の背面方向から見た姿を追加記載した図である。
【００４９】
ＬＥＤ８と透光性カバーである半球カバー１６の間の空間と外部を通気させるため、基板９の銅箔パターンの構成上可能であれば基板９に穴９ａを明けて通気しても良い。例えば、図１５のように基板９に、穴９ａを加工し通気経路１７を確保し、穴９ａを利用して半球カバー１６より突出させた爪１６ｈを基板９に引っ掛けるなどで取り付けてもよい。穴９ａの大きさは他の実施の形態と同様に少なくとも１ｍｍ程度の幅を確保して、ＬＥＤ８の周囲にわたって広げた。このように透光性カバーに覆われた空間の任意の一箇所または複数箇所を開放し通気可能に設計すればよい。
【００５０】
（実施の形態４）
以下、本発明の実施の形態４について、図１６を参照して説明する。
図１６は、本発明の実施の形態４に係る基板と半球カバーの別形態を示したもので、発光部および周辺の断面を拡大した図である。
【００５１】
ここで、半球カバー１６は反射鏡１５に接着等で固定し、さらに反射鏡１５はレンズ３に接着等で固定している。一方、基板９は中ケース１０に固定されているので、反射鏡１５における基板９と対峙する第１の対峙面１５ｂ、および半球カバーにおける基板９と対峙する第２の対峙面１６ｂは、基板９とは一切接することなく、通気経路１７を確保している。このように、基板と対峙する面の全面が基板とは接しないように設計してもよい。
【００５２】
（実施の形態５）
以下、本発明の実施の形態５を、図１７を参照して説明する。図１７は、本発明の実施の形態５における透光性カバーの別形態を示したもので、発光部のみの断面の拡大図であり、透光性カバー界面で反射した光や、ＬＥＤの側方に漏れて透光性カバーに入射できなかった光の行き先を矢印で示すとともに、同発光部を器具正面方向から見た姿も記載している。
【００５３】
本発明の実施の形態５は、透光性カバーとして筒形カバー１８を配置した例である。筒形カバー１８は、反射鏡１５より一体的に突出させた支持片１５ｃに支持される形で反射鏡１５の中央に固定されている。これにより筒形カバー１８は、第２の天穴１８ｄを１箇所と、第２の側方穴１８ｅを４箇所備えている。
【００５４】
筒形カバー１８の表面には第２の梨地加工１８ｃが施されており、ＬＥＤ８より放射された白い光８ｗと、黄味がかった光８ｙを分散し、反射鏡１５を介して前方で色を平均化した照射を得ることができる。このように、前述の実施の形態１〜４よりもさらに簡易な筒形部品でもＬＥＤ放射色不均一は解消することができて、かつ反射鏡１５の受光面１５ａに当たらない光８ｏや、透光性カバーに向けて光源より放射されるも透光性カバー界面で反射し光源方向に戻ってきた光８ｐや、あるいは光源の側方に漏れて透光性カバーに向けて入射できなかった光８ｑも、第２の天穴１８ｄや第２の側方穴１８ｅによって器具前方に向かわせることができる。また、通気と放熱性に関しても同様である。
【００５５】
ただ、筒形であるために光源本来の放射方向を損ないやすいこと、カバー内側界面での反射が増えることで、反射鏡１５を介した前方の中心照度は低くなる。
【００５６】
前述のとおり、光源を中心とした半球形状のカバーの方が光源の放射を垂直に透過するので器具としては集光度を保ちやすいと言えるが、器具の要求仕様として必ずしも前方に尖った照射形を望まない場合はこのように安価で済む設計を選択してもよい。
【００５７】
以上に述べたように、本発明によれば、光源と略お椀形の反射鏡を組み合わせた安価な構成の携帯電灯において、簡易でしかも光源の形状によらず汎用性の高い方法で、光源の
放射色不均一を解消し色ムラも無く前方を照射することを可能とするものである。また簡素で壊れにくい構成で、器具の高光束化に対応すべく光源の放熱性や光を無駄なく前方に照射できる工夫を備え、湿気の多い環境での使用も考慮した、快適で安全に使用できる携帯電灯を提供することができる。
【産業上の利用可能性】
【００５８】
本発明は、ごく簡単な構成で光源の形状によらず適用できるので汎用性が高い。そのため携帯電灯に限らずＬＥＤ光源を利用した電灯全般の前方照射色の改善や明るさ確保、信頼性の向上に広く用いることができる。
【符号の説明】
【００５９】
１      前ケース
２      電池ケース
３      レンズ
４      スイッチツマミ
５      電池
６      電池ばね
７      センターばね
８      ＬＥＤ
８ａ    バスタブ型の枠
８ｂ    半導体チップ
８ｃ    蛍光体
８ｗ    白い光
８ｙ    黄味がかった光
８ｏ    当たらない光
８ｐ    光源方向に戻ってきた光
８ｑ    入射できなかった光
９      基板
９ａ    穴
９ｂ    反射面
１０    中ケース
１１    プラスリード
１２    中継リード
１３    スイッチリード
１４    コンタクトリード
１５    反射鏡
１５ａ  受光面
１５ｂ  第１の対峙面
１５ｃ  支持片
１５ｆ  焦点
１６    半球カバー
１６ａ  接地足
１６ｂ  第２の対峙面
１６ｃ  第１の梨地加工
１６ｄ  第１の天穴
１６ｅ  第１の側方穴
１６ｈ  爪
１７    通気経路
１８    筒形カバー
１８ｃ  第２の梨地加工
１８ｄ  第２の天穴
１８ｅ  第２の側方穴
【図１】
2020123449.tif 000003
【図２】
2020123449.tif 000004
【図３】
2020123449.tif 000005
【図４】
2020123449.tif 000006
【図５】
2020123449.tif 000007
【図６】
2020123449.tif 000008
【図７】
2020123449.tif 000009
【図８】
2020123449.tif 000010
【図９】
2020123449.tif 000011
【図１０】
2020123449.tif 000012
【図１１】
2020123449.tif 000013
【図１２】
2020123449.tif 000014
【図１３】
2020123449.tif 000015
【図１４】
2020123449.tif 000016
【図１５】
2020123449.tif 000017
【図１６】
2020123449.tif 000018
【図１７】
2020123449.tif 000019